(57)【要約】【課題】フォークリフトを使用してバッテリケースを持ち運ぶ際に、誤操作によるバッテリケースの落下を未然に防止する。【解決手段】バッテリケース３１の対向する左右側板３１ＲＳ，３１ＬＳに、フォーク１９が挿入可能な前後一対の吊下げ体３４をそれぞれ昇降自在に取り付け、吊下げ体３４に、バックレストの下フィンガーバー２７Ｄに掛止可能な掛止具４１を設けた。【選択図】図２
2014073900.tif 000002
【特許請求の範囲】
【請求項１】
バッテリを収容したバッテリケースの対向する外側面に、フォークリフトのフォークがそれぞれ挿脱自在な吊下げ体を、それぞれバッテリケースの上方に出退自在に設けたバッテリケースの吊下げ具であって、
対向する外側面の少なくとも一方の吊下げ体に、前記フォークの支持部材に掛け止めされてバッテリケースのフォーク先端側の移動を規制する掛止具を設けた
ことを特徴とするバッテリケース吊下げ具。
【請求項２】
掛止具は、吊り下げ体の上端部間に掛け渡された支持部材と、当該支持部材に垂直軸を介して回動自在でかつ昇降自在に支持された掛止アームと、当該掛止アームを下方に付勢する付勢部材と、前記掛止アームの遊端部に下方に突設された掛止爪とを具備し、
フォークの支持部材は、フォークの基端部を支持するフィンガーバーとした
ことを特徴とする請求項１記載のバッテリケース吊下げ具。
【発明の詳細な説明】
【技術分野】
【０００１】
本発明は、バッテリ式産業用車両であるたとえばフォークリフトなどのバッテリケース吊下げ具に関する。
【背景技術】
【０００２】
バッテリ式のフォークリフトでは、たとえば運転席下部のボンネット内の空間全体をバッテリ収容室として、複数の小型バッテリを収容した大型で大重量のバッテリケースが搭載される。このバッテリケースは、放電後に充電済みのバッテリを収容したバッテリケースとを交換することにより、長時間の運転が可能となるため、たとえば他のフォークリフトを使用して、放電後および充電済みのバッテリケースをフォークリフトのバッテリ収容室に積み降ろしして交換する。
【０００３】
特許文献１は、矩形状の吊り具をバッテリケースの上面開口部の四隅位置に、昇降固定可能でかつフォークが挿入可能な矩形状の吊り具をそれぞれ設けたものである。
特許文献２、３は、バッテリケースの上面開口部または対向縁部に、フォークが挿入可能な２枚の吊下げ板を起伏固定可能に取り付けたものである。
【先行技術文献】
【特許文献】
【０００４】
【特許文献１】特開平１−２２６６２７号公報
【特許文献２】特開平４−４９４５２号公報
【特許文献３】特開２００３−１４２０５８号公報
【発明の概要】
【発明が解決しようとする課題】
【０００５】
ところで、フォークリフトには、フォークを傾動させるチルト機構が装備されており、フォークを吊下げ部材に挿入しバッテリケースを持ち上げ、搬送する作業中に、チルト機構を誤操作して、フォークの先端を下げてしまうことがあった。このような場合、吊下げ部材がフォークに沿って先端側に滑って落下し、バッテリケースの前部やバッテリを破損してしまう。
【０００６】
本発明は、フォークリフトを使用してバッテリケースを持ち運ぶ際に、誤操作によるバッテリケースの落下を未然に防止できるバッテリケース吊下げ具を提供することを目的とする。
【課題を解決するための手段】
【０００７】
請求項１記載の発明は
バッテリを収容したバッテリケースの対向する外側面に、フォークリフトのフォークがそれぞれ挿脱自在な吊下げ体を、それぞれバッテリケースの上方に出退自在に設けたバッテリケースの吊下げ具であって、
対向する外側面の少なくとも一方の吊下げ体に、前記フォークの支持部材に掛け止めされてバッテリケースのフォーク先端側の移動を規制する掛止具を設けたものである。
【０００８】
請求項２記載の発明は、請求項１記載の構成において、
掛止具は、吊り下げ体の上端部間に掛け渡された支持部材と、当該支持部材に垂直軸を介して回動自在でかつ昇降自在に支持された掛止アームと、当該掛止アームを下方に付勢する付勢部材と、前記掛止アームの遊端部に下方に突設された掛止爪とを具備し、
フォークの支持部材は、フォークの基端部を支持するフィンガーバーとしたものである。
【発明の効果】
【０００９】
請求項１記載の発明によれば、フォークが挿入される吊下げ体に、バッテリケースのフォーク先端側の移動を規制する掛止具を設けたので、フォークを先端側が下位となるような誤操作が行われることがあっても、掛止具により吊下げ体がフォークに沿って先端側に滑り出すのを防止して、バッテリケースの落下を未然に防止することができる。
【００１０】
請求項２記載の発明によれば、掛止具に、掛止爪を有する掛止アームを垂直軸を中心に回動自在に設けたので、吊下げ搬送時以外は、バッテリケースの側面に沿わせておくことで、バッテリケースをコンパクト化できてスムーズに収容することができる。また掛止アームを昇降自在でかつ付勢部材により掛止アームを下方に付勢したので、フィンガーバーの上下位置が変位していても、掛止爪をフィンガーバーに確実に掛止することができる。
【図面の簡単な説明】
【００１１】
【図１】本発明に係るバッテリケース吊下げ具の実施例を示し、使用状態を示す斜視図である。
【図２】（ａ）（ｂ）は本発明に係るバッテリケース吊下げ具の実施例を示し、（ａ）は縦断面図、（ｂ）は吊下げ具の要部拡大縦断面図である。
【図３】（ａ）（ｂ）はバッテリケース吊下げ具を示し、（ａ）は正面視の部分断面図、（ｂ）は正面視の要部拡大断面図である。
【図４】バッテリ式フォークリフトの側面図である。
【発明を実施するための形態】
【００１２】
［実施例１］
以下、本発明の実施例を図面に基づいて説明する。
図４に示すように、バッテリ式フォークリフト１１は、前輪１２および後輪１３を有する車体１４の前部に、作業機構であるリフト装置１５を具備し、油圧式の昇降シリンダ１６により伸縮自在なマスト装置１７を駆動し、巻き掛け伝導機構により、キャリッジ１８に装着された一対のフォーク１９を昇降駆動する。またこれらフォーク１９を傾動するチルト機構は、マスト装置１７が車体１４の前部に車幅方向の支持ピン（図示せず）を介して前後揺動自在に支持され、車体１４の前部に設置されたチルトシリンダ（チルト機構）２０により、マスト装置１７を介してフォーク１９を上下に傾動することができる。
【００１３】
キャリッジ１８の前部には、図１に示すバックレスト２６が取り付けられ、バックレスト２６のサイドフレーム２６Ｒ，２６Ｌ間に、上下一対の上下フィンガーバー２７Ｕ，２７Ｄが互いに平行に取り付けられている。そして、左右一対のフォーク１９が幅方向に位置調整自在に取り付けられており、上フィンガーバー２７Ｕの上辺部に形成された位置決め用の受け歯２７ａに、フォーク１９が位置決め固定される。
【００１４】
フォーク１９は、前方に伸びる水平荷役部１９Ａと、荷役部の基端側から立ち上げられた垂直荷役部１９Ｂからなり、垂直荷役部１９Ｂの上端部に、上フィンガーバー２７Ｕの受け歯２７ａに咬合する咬合片１９Ｃが取り付けられ、垂直荷役部１９Ｂの下部に、下フィンガーバー２７Ｄの底面に当接してフォーク１９の浮き上がりを防止する規制片１９Ｄが取り付けられている。
【００１５】
運転座席２２が設置された車体１４のボンネット２１内にバッテリ収容室２３が形成され、このバッテリ収容室２３に複数の小型バッテリ３２（図２）を収容したバッテリケース３１が搭載されており、運転座席２２と一体にボンネット２１を後方に回動させることにより、バッテリ収容室２３を開放してバッテリケース３１を交換することができる。２５は、運転座席２２の上方部を覆うヘッドガード２４に形成された切り欠き部で、バッテリケース３１を、吊下げ索を介してチェーンブロックなどの吊下げ装置（図示せず）で吊り上げてバッテリケース３１を交換する時に使用することができる。
【００１６】
図１〜図４に示すように、バッテリケース３１は、底板３１Ｄと左右側板３１ＲＳ，３１ＬＳと、前後側板３１ＦＳ，３１ＢＳからなり、上面が解放された矩形箱体状で、左右側板３１ＲＳ，３１ＬＳにそれぞれ吊下げ具３０が設けられている。
【００１７】
これら吊下げ具３０は、バッテリケース３１の左右側板３１ＲＳ，３１ＬＳに、フォーク１９がそれぞれ挿入可能な空間を形成する矩形枠状で前後一対の吊下げ体３４を昇降自在に取り付け、フォーク１９の基端側となる吊下げ体３４に、フォーク１９の支持部材である下フィンガーバー２７Ｄに掛け止めされてバッテリケース３１のフォーク１９の先端側への移動を規制する本発明に係る掛止具４１が設けられている。
【００１８】
吊下げ体３４は、前後一対の垂直ロッド部３４ｖと、これら垂直ロッド部３４ｖの上端部を連結する水平ロッド部３４ｈと、垂直ロッド部３４ｖの下端部間を連結する規制板３４ｕからなり、垂直ロッド部３４ｖが、バッテリケース３１の左右側板３１ＲＳ，３１ＬＳの外面に取り付けられたガイド筒３６Ａ，３６Ｂを介してそれぞれ昇降自在に案内され、互いに隣接するガイド筒３６Ｂは連結部３６Ｃを介して連結されている。また図３（ａ）に示すように、それぞれ外側のガイド筒３６Ａに、垂直ロッド部３４ｖを固定可能なロック機構３７ａと、このロック機構３７ａを操作する操作レバー３７ｂからなる公知のロック装置３７が設けられている。たとえば公知のロック機構３７として、垂直ロッド部３４ｖに外嵌されるすり割入りで拡縮自在なテーパ筒と、このテーパ筒に外嵌された加圧筒と、操作レバー３７ｂにより回動されて加圧筒を軸心方向に駆動可能なねじ機構からなり、テーパ筒で垂直ロッド部３４ｖを締め付けてロックする構造が採用される。３８は規制板３４ｕを介して吊下げ体３４の下降限を規制する下限ストッパであり、吊下げ体３４が下降限まで押し下げられると、掛止具４１がバッテリケース３１の上面より下位に位置し、バッテリ収容室２３に収容される。
【００１９】
掛止具４１は、図２（ｂ）、図３（ｂ）に示すように、一対の矩形状の吊下げ体３４の水平ロッド部３４ｈに掛け渡された支持部材４２と、この支持部材４２に貫通穴を介して回動自在でかつ昇降自在に支持された垂直軸４３と、垂直軸４３の上端部に取れ付けられた掛止アーム４４と、この掛止アーム４４の遊端部に下方に折り曲げられた掛止爪４５と、垂直軸４３を介して掛止アーム４４を下方に付勢するコイルばね４６とを具備し、コイルばね４６は、垂直軸４３に外嵌されて支持部材４２と垂直軸４３下端部の受圧板４３ａとの間に介装されている。また支持部材４２は、側面視がコの字形の水平ロッド部３４ｈにそれぞれ固定される一対の底板部４２ａと、底板部４２ａの内端部からそれぞれ立ち上げられる立板部４２ｂと、立板部４２ｂの上端を連結する支持板部４２ｃからなり、１枚の板部材を折り曲げて形成されている。
【００２０】
さらに左右のフォーク１９が最も接近する間隔Ｄは、上フィンガーバー２７Ｕの受け歯２７ａのピッチにより設定されており、掛止アーム４４の幅は、左右のフォーク１９が最も接近する間隔Ｄに、容易に嵌合可能な幅に形成されている。
【００２１】
ここで、掛止アーム４４を所定範囲で昇降可能に支持するのは、水平荷役部１９Ａの上面と下フィンガーバー２７Ｄの高低差ずれに対応するためであり、また垂直軸４３を介して掛止アーム４４を回動自在に支持するのは、バッテリケース３１のバッテリ収容室２３に収容させるためであり、さらにコイルばね４５により掛止アーム４４を下方に付勢するのは、掛止爪４５が下フィンガーバー２７Ｄの確実に掛止させるとともに、側方に突出させてフォーク１９間に挿入する時に、掛止アーム４４と支持部材４２の摩擦力により、掛止アーム４４の姿勢を保持するためである。
【００２２】
なお、フォーク１９の基端側となる吊下げ体３４にのみ、掛止具４１を設けたが、左右の吊下げ体３４にそれぞれ掛止具４１を設けてもよい。また左右一対の吊下げ体３４を配置したが、左右の吊下げ体３４を一体に接合したものでもよいし、接合部分の垂直ロッド部３４ｖを削除して、１つの矩形枠状に形成して、左右一対のフォーク１９を挿入可能としたものであってもよい。
【００２３】
上記構成において、バッテリケース３１を交換する場合には、フォークリフト１１のボンネット２１を上部後方に跳ね上げてバッテリ収容室２３を開放し、下降限位置の吊下げ体３４を引き上げ、ロック装置３７により吊下げ体３４を上限位置で係止する。他のフォークリフトのフォーク１９を互いに接近させた後、吊下げ体３４にそれぞれ挿入する。フォーク１９の挿入前、または基端側の吊下げ体３４がバックレスト２６に接近した時に、掛止具４１の掛止アーム４４をバックレスト２６側に回動させておき、一対のフォーク１９の間に挿入する。そしてフォーク１９を上昇させると、掛止アーム４４の掛止爪４５が下フィンガーバー２７Ｄに掛止される。さらにフォーク１９をさらに上昇させてバッテリケース３１をバッテリ収容室２３から引き出すとともに、チルトシリンダ２０を少し収縮してフォーク１９の先端が上位となるように傾斜させ、バッテリケース３１を充電場所に搬送する。そして充電済みの小型バッテリ３２を収容したバッテリケース３１を逆の手順でバッテリ収容室２３に搬入する。
【００２４】
上記実施例によれば、フォーク１９が挿入される吊下げ体３４に、バッテリケース３１のフォーク１９先端側の滑り出しを規制する掛止具４１を設けたので、フォーク１９に対して、先端側が下位となる傾動される誤操作が行われることがあっても、吊下げ体３４がフォーク１９に沿って先端側に滑り出すのを防止して、バッテリケース３１が先端側から落下するのを未然に防止することができる。
【００２５】
また掛止具４１に、掛止爪４５を有する掛止アーム４４を垂直軸４３を中心に回動自在に設けたので、吊下げ搬送時以外は、バッテリケース３１の側面に沿わせておくことでコンパクト化して、掛止具４１がバッテリ収容室２３の区画壁面に干渉することなく、スムーズに収容することができる。また掛止アーム４４を昇降自在でかつコイルばね４６により掛止アーム４４を下方に付勢したので、フォーク１９の水平荷役部１９Ａに対して、下フィンガーバー２７Ｄの上下位置が変位していても、確実に掛止爪４５を下フィンガーバー２７Ｄに掛止することができる。
【符号の説明】
【００２６】
１１    フォークリフト
２３    バッテリ収容室
２６    バックレスト
２６Ｒ，２６Ｌ  サイドフレーム
２７Ｕ  上フィンガーバー  
２７Ｄ  下フィンガーバー  
２７ａ  受け歯
３０    吊下げ具
３１    バッテリケース
３４    吊下げ体
３４ｖ  昇降ロッド部
３４ｈ  水平ロッド部
３４ｕ  規制板
３６Ａ，３６Ｂ  ガイド筒
３７    ロック装置
３８    下限ストッパ
４１    掛止具
４２    支持部材
４３    垂直軸
４３ａ  受圧板
４４    掛止アーム
４５    掛止爪
４６    コイルばね
【図１】
2014073900.tif 000003
【図２】
2014073900.tif 000004
【図３】
2014073900.tif 000005
【図４】
2014073900.tif 000006